(57)【要約】【課題】ネットワーク在圏中に、パケット通信のためのパケット接続を、常時を含めて可能とする設定を行うかどうかを設定でき、該設定が解除されている場合でも、自動的にパケットを発信すること。【解決手段】ネットワークに在圏中に、該ネットワークとの間でパケット接続状態を保持する携帯端末装置は、パケット通信のためのパケット接続を、常時を含めて可能とするかどうかを設定する接続制御部と、ネットワークに送信すべきパケットを生成するパケット生成部とを有する。接続制御部は、パケット接続を、常時を含めて可能とする設定が解除されているときに、前記パケット生成部によりパケットが生成された場合、自動的に、該パケット接続を、常時を含めて可能とするように設定する。【選択図】図４
2011239073.tif 000002
【特許請求の範囲】
【請求項１】
ネットワークに在圏中に、該ネットワークとの間でパケット接続状態を保持する携帯端末装置であって、
パケット通信のためのパケット接続を、常時を含めて可能とするかどうかを設定する接続制御部と、
前記ネットワークに送信すべきパケットを生成するパケット生成部と
を有し、
前記接続制御部は、前記パケット接続を、常時を含めて可能とする設定が解除されているときに、前記パケット生成部によりパケットが生成された場合、自動的にパケット接続を、常時を含めて可能とするように設定する携帯端末装置。
【請求項２】
請求項１に記載の携帯端末装置において、
前記パケット生成部は、ユーザによる操作及び／又は当該携帯端末装置に搭載された特定のアプリケーションにより、パケットを生成する端末装置。
【請求項３】
請求項１又は２に記載の携帯端末装置において、
当該携帯端末装置に格納されるべき移動国コードと、当該携帯端末装置により受信されるべき報知情報に含まれる移動国コードとが一致するかどうかを判定する移動国コード判定部
を有し、
前記接続制御部は、前記移動国コード判定部により移動国コードが一致しないと判定された場合に、自動的に、前記パケット接続を、常時を含めて可能とする設定を解除する携帯端末装置。
【請求項４】
請求項１ないし３のいずれか１項に記載の携帯端末装置であって、
前記接続制御部は、当該携帯端末装置の接続先に応じて、前記パケット接続を、常時を含めて可能とするかどうかを設定する携帯端末装置。
【請求項５】
請求項４に記載の携帯端末装置であって、
前記接続制御部は、前記パケット生成部により一定期間パケットが生成されない場合、前記パケット接続を、常時を含めて可能とする設定を解除する携帯端末装置。
【請求項６】
ネットワークに在圏中に、該ネットワークとの間でパケット接続状態を保持する携帯端末装置における方法であって、
パケット通信のためのパケット接続を、常時を含めて可能とするかどうかを設定する接続制御ステップと、
前記ネットワークに送信すべきパケットを生成するパケット生成ステップと
を有し、
前記接続制御ステップは、前記パケット接続を、常時を含めて可能とする設定が解除されているときに、前記パケット生成ステップによりパケットが生成された場合、自動的に、該パケット接続を、常時を含めて可能とするように設定する方法。
【発明の詳細な説明】
【技術分野】
【０００１】
本発明は、携帯端末装置に関する。
【背景技術】
【０００２】
ネットワーク在圏中に、パケット通信のためのパケット接続を常時可能にできる機能（以下、「オールウェイズオン(Always On)」と呼ぶ）を有する携帯端末装置が普及している。該携帯端末装置には、スマートフォン(Smartphone)が含まれる。スマートフォンは、携帯電話・PHSと、携帯情報端末(PDA: Personal Digital Assistants)とを融合させた携帯端末装置である。
【０００３】
該オールウェイズオンは、第3世代移動通信システムの携帯電話の一部で利用可能である。また、ロング・ターム・エボリューション(LTE: Long Term Evolution)では、大部分の携帯端末装置が、オールウェイズオンを利用可能であることが予定されている。従って、オールウェイズオンを利用可能である携帯端末装置が、より普及することが想定される。
【先行技術文献】
【非特許文献】
【０００４】
【非特許文献１】特表2009-534967号公報
【発明の概要】
【発明が解決しようとする課題】
【０００５】
オールウェイズオンに設定された携帯端末装置は、国際ローミング中でも、オールウェイズオンに設定されたままである。国際ローミング中でもオールウェイズオンに設定されたままである場合、ローミング先の国によっては、課金金額が高額となることもある。課金金額が定額となっていない国があるためである。
【０００６】
図１は、オールウェイズオンの動作の一例を示すシーケンスチャートである。図１において、無線アクセスネットワーク(RAN: Radio Access Network)には、基地局装置と、無線ネットワーク制御装置(RNC: Radio Network Controller)とが含まれる。
【０００７】
携帯端末装置に搭載されたオペレーティングシステム (OS: Operating System)から、該携帯端末装置の無線部にキープアライブ(Keep Alive)パケットを送信する命令が行われる（ステップＳ２０２）。該キープアライブパケットを送信する命令は、例えば周期Tで行われる。該オペレーティングシステムによる命令は、スーパーバイザコール(svc: Super Visor Call)と呼ばれてもよい。
【０００８】
携帯端末装置は、OSからのキープアライブパケットの送信命令に従って、アクティベートパケットデータプロトコルコンテキストリクエスト(Activate PDP(Packet Data Protocol) Context Request)をコアネットワーク(CN: Core Network)に送信する（ステップＳ２０４）。携帯端末装置とコアネットワークとの間で、無通信監視タイマーｔが起動される（ステップＳ２０６）。
【０００９】
コアネットワークは、無通信監視タイマーｔが満了する際に、携帯端末装置に、デアクティベートパケットデータプロトコルコンテキストリクエスト(Deactivate PDP Context Request)を送信する（ステップＳ２０８）。
【００１０】
該デアクティベートパケットデータプロトコルコンテキストリクエストにより、携帯端末装置においてオールウェイズオンのトリガーが発生する（ステップＳ２１０）。
【００１１】
携帯端末装置は、アクティベートパケットデータプロトコルコンテキストリクエストをコアネットワークに送信する（ステップＳ２１２）。携帯端末装置は、シグナリングコネクションリリースインジケーション(Signaling Connection Release Indication(Fast Dormancy))をRANに送信する(ステップＳ２１４)。
【００１２】
OSから、該携帯端末装置の無線部にキープアライブパケットを送信する命令が行われる（ステップＳ２１６）。
【００１３】
携帯端末装置は、OSからのキープアライブパケットの送信命令に従って、データを送信するため、RRCコネクションリクエスト(RRC Connection Request)をRANに送信する（ステップＳ２１８）。携帯端末装置とコアネットワークとの間で、無通信監視タイマーｔが起動される（ステップＳ２２０）。
【００１４】
携帯端末装置は、コアネットワークに、シグナリングコネクションリリースインジケーション(Signaling Connection Release Indication(Fast Dormancy))を送信する（ステップＳ２２２）。
【００１５】
コアネットワークは、無通信監視タイマーｔが満了する際に、携帯端末装置に、デアクティベートパケットデータプロトコルコンテキストリクエストを送信する（ステップＳ２２４）。
【００１６】
該デアクティベートパケットデータプロトコルコンテキストリクエストにより、携帯端末装置においてオールウェイズオンのトリガーが発生する（ステップＳ２２６）。
【００１７】
携帯端末装置は、アクティベートパケットデータプロトコルコンテキストリクエストをコアネットワークに送信する（ステップＳ２２８）。携帯端末装置は、RANに、シグナリングコネクションリリースインジケーションを送信する(ステップＳ２３０)。
【００１８】
OSから、該携帯端末装置の無線部にキープアライブパケットを送信する命令が行われる（ステップＳ２３２）。
【００１９】
アクティベートパケットデータプロトコルコンテキストによりパケットデータプロトコル(PDP: Packet Data Protocol)コンテキストが作動し(Activate)、且つユーザデータが送信される際に課金が発生する。換言すれば、PDPコンテキストが作動しただけでは課金されない。
【００２０】
携帯端末装置がアイドルモードであり、且つ公衆移動通信網(PLMN: Public Land Mobile Network)の選択が多く発生する場合、アタッチ(Attach)の後、自動的にPDPコンテキストが作動する。該PDPコンテキストの作動の後、ユーザデータが送信されると課金される。
【００２１】
携帯端末装置には、国際ローミングの際には、オールウェイズオンの設定をオフにする機能がある。しかし、オールウェイズオンの設定がオフにされた場合には、PDPコンテキストが作動しない。PDPコンテキストが作動しないため、携帯端末装置からのユーザデータ（パケット）の送信、受信ができなくなる。パケットを送信するためには、オールウェイズオンに設定する必要がある。オールウェイズオンに設定されると、該パケットが送信された後でも、PDPコンテキストが作動し、ユーザデータが送信される際に課金が発生するため好ましくない。
【００２２】
本発明は、上述した問題点に鑑みてなされたものであり、その目的は、ネットワーク在圏中に、パケット通信のためのパケット接続を、常時を含めて可能とする設定を行うかどうかを設定でき、該設定が解除されている場合でも、自動的にパケットを発信できる携帯端末装置及び方法を提供することにある。
【課題を解決するための手段】
【００２３】
本携帯端末装置は、
ネットワークに在圏中に、該ネットワークとの間でパケット接続状態を保持する携帯端末装置であって、
パケット通信のためのパケット接続を、常時を含めて可能とするかどうかを設定する接続制御部と、
前記ネットワークに送信すべきパケットを生成するパケット生成部と
を有し、
前記接続制御部は、前記パケット接続を、常時を含めて可能にする設定が解除されているときに、前記パケット生成部によりパケットが生成された場合、自動的に、該パケット接続を、常時を含めて可能とするように設定する。
【００２４】
本方法は、
ネットワークに在圏中に、該ネットワークとの間でパケット接続状態を保持する携帯端末装置における方法であって、
パケット通信のためのパケット接続を、常時を含めて可能とするかどうかを設定する接続制御ステップと、
前記ネットワークに送信すべきパケットを生成するパケット生成ステップと
を有し、
前記接続制御ステップは、前記パケット接続を、常時を含めて可能にする設定が解除されているときに、前記パケット生成ステップによりパケットが生成された場合、自動的にパケット接続を、常時を含めて可能とするように設定する。
【発明の効果】
【００２５】
開示の携帯端末装置及び方法によれば、ネットワーク在圏中に、パケット通信のためのパケット接続を、常時を含めて可能とする設定を行うかどうかを設定でき、該設定が解除されている場合でも、自動的にパケットを発信できる。
【図面の簡単な説明】
【００２６】
【図１】パケット接続を常時可能に設定されている場合における携帯端末装置の動作の一例を示す説明図である。
【図２】本実施例に従った携帯端末装置が適用されるシステムの一例を示す説明図である。
【図３】本実施例に従った携帯端末装置を示すハードウェアの一例を示す構成図である。
【図４】本実施例に従った携帯端末装置を示す機能ブロック図である。
【図５】本実施例に従った携帯端末装置の動作の一例を示すフローチャートである。
【図６】本実施例に従った携帯端末装置の動作の一例を示すフローチャートである。
【発明を実施するための形態】
【００２７】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２８】
＜実施例＞
＜システム＞
図２は、本実施例に従った携帯端末装置１００ｎ（ｎは、ｎ＞０の整数）が適用されるシステムの一例を示す。
【００２９】
本携帯端末装置１００ｎが適用される環境は、W-CDMA方式の移動体通信システムが適用される環境であってもよいし、Evolved UTRA and UTRAN方式の移動体通信システムが適用される環境であってもよい。両システムが適用される環境であってもよい。Evolved UTRAN and UTRAN方式の移動体通信システムは、ロングタームエボリューション(LTE: Long Term Evolution)と呼ばれることもある。図２には、一例として、W-CDMA方式の移動体通信システムと、Evolved UTRA and UTRAN方式の移動体通信システムとが混在する環境を示す。
【００３０】
W-CDMA方式が適用されるシステムは、携帯端末装置１００１と、W-CDMA基地局装置(Base Station)３００と、無線ネットワーク制御装置４００とを含む。
【００３１】
W-CDMA基地局装置３００は無線ネットワーク制御装置４００と接続され、無線ネットワーク制御装置４００は、コアネットワーク７００と接続される。W-CDMA基地局装置３００はセル３５０をカバーする。携帯端末装置１００１はセル３５０においてW-CDMA基地局装置３００とW-CDMA方式により通信を行う。図２には、１台の携帯端末装置１００１が描かれているが、２台以上であってもよい。また、図２には、無線ネットワーク制御装置４００に１台のW-CDMA基地局装置３００が接続されているが、２台以上のW-CDMA基地局装置を有し、該W-CDMA基地局装置が無線ネットワーク制御装置４００に接続されてもよい。また、図２には、１台の無線ネットワーク制御装置４００が描かれているが、２台以上であってもよい。
【００３２】
Evolved UTRA and UTRAN方式のシステムは、携帯端末装置１００２と、LTE基地局装置５００と、アクセスゲートウェイ６００とを含む。
【００３３】
LTE基地局装置５００はアクセスゲートウェイ６００と接続され、アクセスゲートウェイ６００は、コアネットワーク７００と接続される。LTE基地局装置５００は、セル５５０をカバーする。携帯端末装置１００２はセル５５０においてLTE基地局装置５００とEvolved UTRA and UTRAN方式により通信を行う。
【００３４】
アクセスゲートウェイ６００は、モビリティマネジメントエンティティ／サービングゲートウェイ(MME/SGW: Mobility Management Entity/Serving Gateway)と呼ばれることもある。図２には、１台の携帯端末装置１００２が描かれているが、２台以上であってもよい。また、図２には、アクセスゲートウェイ６００に１台のLTE基地局装置５００が接続されているが、２台以上でもよい。また、図２には、１台のアクセスゲートウェイ６００が描かれているが、２台以上であってもよい。
【００３５】
LTE基地局装置５００と無線通信を行うことができる携帯端末装置１００２は、W-CDMA基地局装置３００とも無線通信を行うことができるものであってもよい。換言すれば、携帯端末装置１００２は、デュアルモード端末であってもよい。デュアルモード端末は、既存の移動体通信システム、例えばW-CDMA方式と、新たに導入される移動体通信システム、例えばLTE方式により通信を行うことができる。図２では、携帯端末装置１００１は既存の移動体通信システムでのみ通信を行うことができ、携帯端末装置１００２は既存の移動体通信システムとLTE方式により通信を行うことができる。換言すれば、携帯端末装置１００ｎには、既存の移動体通信システムにより無線通信を行うものと、新たに導入される移動体通信システムにより無線通信を行うものと、両方の移動体通信システムにより無線通信を行うものとが含まれてもよい。
【００３６】
＜本携帯端末装置＞
図３は、本実施例に従った携帯端末装置１００ｎを示す。図３には、主にハードウェア構成が示される。
【００３７】
本携帯端末装置１００ｎは、入力部１０２と、出力部１０４と、通信制御部１０６と、無線部１０８と、記憶部１１０と、中央演算処理装置(CPU:  Central Processing Unit)１１２とを有する。各機能ブロックは、バス１５０により接続される。本実施例では、一例として、携帯端末装置１００ｎについて説明される。携帯端末装置１００ｎに限らず、国際ローミングが可能な端末装置であれば適用できる。例えば、携帯情報端末(PDA:  Personal  Digital  Assistants)などに適用できる。
【００３８】
中央演算処理装置１１２は、入力部１０２、出力部１０４、通信制御部１０６、無線部１０８、及び記憶部１１０の制御を行う。中央演算処理装置１１２は、記憶部１１０に記憶されたプログラムに従って機能し、所定の処理を行う。
【００３９】
記憶部１１０は、アプリケーション(Application)と、オペレーティングシステム(OS:  Operating  System)とを有する。アプリケーションは、ユーザが本携帯端末装置１００ｎ上で実行する作業を実施する機能を有するソフトウェアである。オペレーティングシステムは、本携帯端末装置１００ｎにおいて、ハードウェアを抽象化したインターフェースをアプリケーションソフトウェアに提供するソフトウェアである。
【００４０】
入力部１０２は、例えば、キーボードやマウスにより構成され、当該携帯端末装置１００ｎへの指示や、データの入力を行うための装置である。また、入力部１０２は、例えば、マイクにより構成され、ユーザにより発せられた音声を入力する。該音声には、当該携帯端末装置１００ｎへの指示が含まれてもよい。該指示には、オペレーティングシステムに対するものや、アプリケーションに対するものが含まれる。
【００４１】
出力部１０４は、例えば、ディスプレイにより構成され、当該携帯端末装置１００ｎによる処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ(Liquid Crystal Display :LCD)、CRT(Cathode  Ray  Tube)ディスプレイ、プラズマディスプレイ(PDP:  Plasma  Display  Panel)、有機EL(Electro-Luminescence)ディスプレイなどが含まれる。
【００４２】
通信制御部１０６は、当該携帯端末装置１００ｎを接続すべきネットワークと接続するための制御情報を生成し、また、接続すべき基地局３００又は５００により送信された制御情報を解析する。また、通信制御部１０６は、無線部１０８により受信されるべき信号に基づいて、周波数帯測定を行う。該周波数帯測定は、周波数帯サーチ（検索）とも呼ばれてもよいし、セルサーチと呼ばれてもよい。
【００４３】
無線部１０８は、中央演算処理装置１１２による制御により、基地局３００又は５００との間で、所定の無線通信方式により無線通信を行う。該無線通信方式には、GSM、W-CDMAが含まれる。また、LTEが含まれてもよい。例えば、通信制御部１０６により生成された制御情報を無線信号に変換して送信する。また、基地局３００又は５００からの無線信号をベースバンド信号に変換する。
【００４４】
＜本携帯端末装置の機能＞
本携帯端末装置１００ｎにより実行される処理には、当該携帯端末装置１００ｎに差し込まれている（装着されている）カードに保存されている移動国コードと、当該携帯端末装置１００ｎが受信した報知チャネルに含まれる移動国コードとが同じであるかどうかを判定する処理が含まれる。該カードは、契約者情報を記録したICカードである。USIMであってもよい。以下、一例として、USIMカードが差し込まれている例について示す。該カードが、USIM以外の名称で呼ばれてもよい。
【００４５】
また、本携帯端末装置１００ｎにより実行される処理には、当該携帯端末装置１００に差し込まれているUSIMカードに保存されている移動国コードと、報知チャネルに含まれる移動国コードとが同じでない場合に、自動的に、オールウェイズオンの設定又は解除を行う処理が含まれる。該オールウェイズオンの設定又は解除は、ユーザによる事前操作に従って行われてもよい。オールウェイズオンとは、パケット通信のためのパケット接続を、常時を含めて可能とする設定をいう。常時を含めて可能とは、パケット接続を常時可能とすることと、パケット接続をある回数、例えば１回だけ可能とすることが含まれる。換言すれば、常時を含めて可能とは、パケット接続を常時可能とすること、パケット接続を一時的に可能とすることとが含まれる。パケット接続とは、ネットワークからのパケットの着信(paging)による受信も含まれる。該設定にかかわらず、ネットワークとの間で、パケット接続状態が保持されてもよい。該パケット接続状態が保持されている場合、本携帯端末装置１００ｎと、ネットワークとの間で、IPコネクティビティが保持される。パケット接続を、常時を含めて可能とする設定が解除される場合、無線区間のリソースのみが解放されてもよい。
【００４６】
また、本携帯端末装置１００ｎにより実行される処理には、オールウェイズオンが解除されているときに、ユーザ及び／又は当該携帯端末装置１００ｎに搭載された特定のアプリケーション（以下、「特定のアプリケーション」と呼ぶ）により入力されたデータを含むパケットの送信が行われる場合、自動的にパケットデータプロトコルをアクティベートする処理が含まれる。換言すれば、ユーザ及び／又は特定のアプリケーションにより入力されたデータを含むパケットの送信が行われる場合以外は、パケットデータプロトコルをアクティベートする処理は行われない。
【００４７】
また、本携帯端末装置１００ｎにより実行される処理には、オールウェイズオンが設定されているときに、ユーザ及び／又は特定のアプリケーションにより入力されるべきデータを含むパケット送信が行われる場合、該パケットのみ送信する処理が含まれる。換言すれば、ユーザ及び／又は特定のアプリケーションにより入力されるべきデータを含むパケット送信が行われる場合以外は、パケットは送信されない。
【００４８】
図４は、本携帯端末装置１００ｎの機能を示す。図４には、中央演算処理装置１１２により実行される機能が主に示される。
【００４９】
本携帯端末装置１００ｎは、移動国コード判定部１１２２を有する。該移動国コード判定部１１２２には、当該携帯端末装置１００ｎに差し込まれたUSIMカードに記憶された移動国コードが入力される。また、該移動国コード判定部１１２２には、当該携帯端末装置１００ｎにより受信された報知チャネルに含まれる移動国コードが入力される。該移動国コードは、報知チャネルのマスターインフォメーションブロック(MIB: Master Information Block)に含まれるものであってもよい。該移動国コード判定部１１２２は、USIMカードに記憶された移動国コードと、報知チャネルに含まれる移動国コードとが同じであるかどうかを判定する。USIMカードに記憶された移動国コードと、報知チャネルに含まれる移動国コードとが同じであるかどうかの判定結果は、接続制御部１１２４に入力される。
【００５０】
本携帯端末装置１００ｎは、接続制御部１１２４を有する。該接続制御部１１２４は、移動国コード判定部１１２２と接続される。該接続制御部１１２４には、入力部１０２からの操作信号が入力される。該操作信号には、ネットワーク在圏中に、パケット接続を、常時を含めて可能にする設定を作動させるかどうかを設定するための情報（以下、「パケット接続設定情報」と呼ぶ）が含まれる。該接続制御部１１２４は、入力部１０２から入力された操作信号に含まれるパケット接続設定情報がパケット接続を、常時を含めて可能にする設定を行う情報である場合には、移動国コード判定部１１２２により入力される判定結果が、USIMカードに記憶された移動国コードと、報知チャネルに含まれる移動国コードとが同じであるかどうかにかかわらず、パケット接続を、常時を含めて可能にする設定を行う。
【００５１】
一方、該接続制御部１１２４は、入力部１０２から入力された操作信号に含まれるパケット接続設定情報がパケット接続を、常時を含めて可能にする設定を解除する情報である場合には、移動国コード判定部１１２２により入力される判定結果が、USIMカードに記憶された移動国コードと、報知チャネルに含まれる移動国コードとが同じでない場合に、パケット接続を、常時を含めて可能にする設定を解除する。
【００５２】
USIMカードに記憶された移動国コードと、報知チャネルに含まれる移動国コードとが異なる場合に、ユーザにより事前に設定されるべきパケット接続を、常時を含めて可能にする設定を行うか解除するかを設定できることにより、特に契約国以外で、オールウェイズオンにより、ユーザが意図しない課金が発生することを防ぐことができる。
【００５３】
本携帯端末装置１００ｎは、パケット生成部１１２６を有する。該パケット生成部１１２６は、接続制御部１１２４と接続される。該パケット生成部１１２６には、入力部１０２から送信すべきデータ及び／又は特定のアプリケーションにより送信すべきデータが入力される。入力部１０２から入力されるデータは、ユーザが当該携帯端末装置１００ｎを操作することにより入力されたものであってもよい。パケット生成部１１２６は、入力部１０２により入力された送信すべきデータ及び／又は特定のアプリケーションにより入力された送信すべきデータを含むパケットを生成する。該パケット生成部１１２６は、送信すべきデータを含むパケットを生成した場合、パケット接続を、常時を含めて可能にする設定が解除されている場合、接続制御部１１２４に、パケット接続を、常時を含めて可能に設定するように命令する。パケット制御部１１２６は、該パケットを通信制御部１０６に入力する。
【００５４】
接続制御部１１２４は、パケット生成部１１２６によりパケット接続を、常時を含めて可能に設定するように命令された場合、通信制御部１０６に、パケット接続を、常時を含めて可能に設定する命令を行う。通信制御部１０６は、該命令に従って、PDPをアクティベートする。例えば、通信制御部１０６は、コアネットワーク７００にアクティベートパケットデータプロトコルコンテキストリクエストを送信するように制御する。無線部１０８からアクティベートパケットデータプロトコルコンテキストリクエストが送信される。また、通信制御部１０６は、コアネットワーク７００からのアクティベートパケットデータプロトコルアクセプトを受信するように制御する。無線部１０８によりアクティベートパケットデータプロトコルアクセプトが受信され、通信制御部１０６に入力される。また、通信制御部１０６は、RRCコネクションリクエストを送信するように制御する。無線部１０８から、RRCコネクションリクエストが送信される。無線通信部１０６は、パケット生成部１１２６により入力されたパケットを送信するように、無線部１０８を制御する。無線部１０８からパケットが送信される。
【００５５】
接続制御部１１２４は、パケット接続を、常時を含めて可能にする設定を解除していた場合に、パケット生成部１１２６からパケット接続を、常時を含めて可能にする設定を行うように命令された場合、一時的にパケット接続を、常時を含めて可能にする設定を行う。例えば、接続制御部１１２４は、パケット生成部１１２６によりパケット接続を、常時を含めて可能にする設定を行うように命令された場合、該命令に該当するパケットの送信が終了するまでパケット接続を、常時を含めて可能にするように設定する。パケットの送信が終了した場合、パケット接続を、常時を含めて可能にする設定を解除する。
【００５６】
また、接続制御部１１２４は、パケット接続を、常時を含めて可能にするように設定していた場合でも、該パケットのみを送信できるように設定してもよい。該パケットのみを送信できるように設定することにより、不必要な無線通信が行われないため、ユーザの意図しない課金が発生することを防止できる。さらに、事前にパケット送信が許可されるべきアプリケーションが設定されてもよい、該設定されたアプリケーションにより送信すべきデータが発生した場合に、該データを送信可能としてもよい。換言すれば、事前に設定されたアプリケーション以外のアプリケーションにより送信すべきデータが発生しても、該データは送信されない。
【００５７】
また、接続制御部１１２４は、パケット接続を、常時を含めて可能にする設定が解除されている場合でも、事前にパケット送信が許可されるべき特定のアプリケーションにより送信すべきデータが発生した場合に、該データを送信可能としてもよい。換言すれば、事前に設定された特定のアプリケーション以外のアプリケーションにより送信すべきデータが発生しても、該データは送信されない。該特定のアプリケーションには、メールを送信するアプリケーションが含まれてもよい。該アプリケーションがメールを送信するアプリケーションである場合、メール送信後に、パケット接続を、常時を含めて可能にする設定を解除してもよい。さらに、該データを送信可能とするためにパケットデータプロトコルがアクティベートされ、一定時間経過しても、送信データがない場合には、保持状態(preservation)を維持せず、パケットデータプロトコルをデアクティベートしてもよい。パケットデータプロトコルがデアクティベートされることにより、パケット接続を、常時を含めて可能とする設定が解除される。
【００５８】
また、USIMカードに記憶された移動国コードと、報知チャネルに含まれる移動国コードとが異なる場合、換言すればホームネットワーク以外のネットワークに在圏している場合に、接続先に応じて、パケット接続を、常時を含めて可能とするかどうかが設定されてもよい。例えば、特定の接続先に接続している場合には、パケット接続を、常時を含めて可能とするように設定し、該特定の接続先以外の接続先に接続している場合には、パケット接続を、常時を含めて可能とする設定を解除するようにしてもよい。具体例としては、音声のIPマルチメディアサブシステム(IMS: IP Multimedia Subsystem)のパケットデータネットワーク(PDN: Packet Data Network)がデフォルトPDNである場合には、パケット接続を、常時を含めて可能とするように設定するようにしてもよい。また、音声のIPマルチメディアサブシステム以外のIPマルチメディアサブシステムのパケットデータネットワークがデフォルトPDNである場合には、パケット接続を、常時を含めて可能とする設定を解除するようにしてもよい。
【００５９】
＜本携帯端末装置の動作＞
＜パケット接続を常時可能に設定している場合＞
図５は、本携帯端末装置１００の動作の一例を示すフローチャートである。本フローチャートでは、本携帯端末装置１００は、事前にパケット接続が、常時を含めて可能に設定されている。図５において、ネットワークには、コアネットワーク７００が含まれる。また、ネットワークには、無線ネットワーク制御装置４００又は基地局５００が含まれてもよい。また、ネットワークには、基地局３００が含まれてもよいし、アクセスゲートウェイ６００が含まれてもよい。本携帯端末装置１００には、基地局を介して、コアネットワークからの信号が受信される。図５では、本携帯端末装置１００は、契約国とは異なる国に位置する。
【００６０】
本携帯端末装置１００のセルラ電源がオフにされている状態で、セルラの電源がオンにされる。
【００６１】
本携帯端末装置１００は、ネットワークに、アタッチリクエスト(Attach Request)を送信する（ステップＳ５０２）。
【００６２】
ネットワークは、本携帯端末装置１００に、アイデンティティリクエスト(Identity Request)を送信する（ステップＳ５０４）。
【００６３】
本携帯端末装置１００は、ネットワークに、アイデンティティレスポンス(Identity Response)を送信する（ステップＳ５０６）。
【００６４】
ネットワークは、本携帯端末装置１００に、オーセンティケーションとサイファリングリクエスト(Authentication and Cyphering Request)を送信する（ステップＳ５０８）。
【００６５】
本携帯端末装置１００は、ネットワークに、オーセンティケーションとサイファリングレスポンス(Authentication and Cyphering Response)を送信する（ステップＳ５１０）。
【００６６】
ネットワークは、本携帯端末装置１００に、アタッチアクセプト(Attach Accept)を送信する（ステップＳ５１２）。
【００６７】
本携帯端末装置１００は、ネットワークに、アタッチコンプリート(Attach Complete)を送信する（ステップＳ５１４）。
【００６８】
ステップＳ５１４の後、アイドル(Idle)モードに遷移する（ステップＳ５１６）。アイドルモードに遷移した本携帯端末装置１００と、ネットワークとの間のパケット接続状態は保持されない。本携帯端末装置１００からパケットデータプロトコルコンテキストリクエストが送信されていないためである。
【００６９】
ネットワークは、本携帯端末装置１００に、オーセンティケーションとサイファリングリクエストを送信する（ステップＳ５１８）。
【００７０】
本携帯端末装置１００は、ネットワークに、オーセンティケーションとサイファリングレスポンスを送信する（ステップＳ５２０）。
【００７１】
本携帯端末装置１００は、ネットワークに、事前にパケット接続が、常時を含めて可能に設定されているため、アクティベートパケットデータプロトコルコンテキストリクエスト(Activate PDP Context Request)を送信する（ステップＳ５２２）。例えば、接続制御部１１２４は、通信制御部１０６に、アクティベートパケットデータプロトコルコンテキストリクエストを送信するように命令する。通信制御部１０６は、接続制御部１１２４による命令に従って、アクティベートパケットデータプロトコルコンテキストリクエストを生成し、無線部１０８に入力する。無線部１０８は、通信制御部１０６により入力されたアクティベートパケットデータプロトコルコンテキストリクエストを送信する。
【００７２】
ネットワークは、本携帯端末装置１００に、アクティベートパケットデータプロトコルコンテキストアクセプト(Activate PDP Context Accept)を送信する（ステップＳ５２４）。
【００７３】
ステップＳ５２４の後、アイドル(Idle)モードに遷移する（ステップＳ５２６）。アイドルモードに遷移した本携帯端末装置１００と、ネットワークとの間のパケット接続状態は保持される。
【００７４】
本携帯端末装置１００において、ブラウザが起動される（ステップＳ５２８）
ネットワークは、本携帯端末装置１００に、オーセンティケーションとサイファリングリクエストを送信する（ステップＳ５３０）。
【００７５】
本携帯端末装置１００は、ネットワークに、オーセンティケーションとサイファリングレスポンスを送信する（ステップＳ５５３２）。
【００７６】
ネットワークは、本携帯端末装置１００に、無線ベアラセットアップ(radio bearer setup)を送信する（ステップＳ５３４）。
【００７７】
本携帯端末装置１００は、ネットワークに、無線ベアラセットアップコンプリート(radio bearer setup complete)を送信する（ステップＳ５３６）。
【００７８】
ステップＳ５３８の後、フォワードアクセスチャネル(FACH: Forward Access Channel)受信可能状態、ページングチャネル(PCH: Paging Channel)受信可能状態を経て、保持状態(Preservation)に遷移する（ステップＳ５３８）。又は、シグナリングコネクションリリースインジケーションを送信しIdleに遷移するようにしてもよい。
【００７９】
＜パケット接続を常時可能に設定していない場合＞
図６は、本携帯端末装置１００の動作の一例を示すフローチャートである。本フローチャートでは、本携帯端末装置１００は、事前にパケット接続が、常時を含めて可能にする設定が解除されている。
【００８０】
図６において、ネットワークには、コアネットワーク７００が含まれる。また、ネットワークには、無線ネットワーク制御装置４００又は基地局５００が含まれてもよい。また、ネットワークには、基地局３００が含まれてもよいし、アクセスゲートウェイ６００が含まれてもよい。本携帯端末装置１００には、基地局を介して、コアネットワークからの信号が受信される。図６では、本携帯端末装置１００は、契約国とは異なる国に位置する。
【００８１】
本携帯端末装置１００のセルラ電源がオフにされている状態で、セルラの電源がオンにされる。
【００８２】
本携帯端末装置１００は、ネットワークに、アタッチリクエストを送信する（ステップＳ６０２）。
【００８３】
ネットワークは、本携帯端末装置１００に、アイデンティティリクエストを送信する（ステップＳ６０４）。
【００８４】
本携帯端末装置１００は、ネットワークに、アイデンティティレスポンスを送信する（ステップＳ６０６）。
【００８５】
ネットワークは、本携帯端末装置１００に、オーセンティケーションとサイファリングリクエストを送信する（ステップＳ６０８）。
【００８６】
本携帯端末装置１００は、ネットワークに、オーセンティケーションとサイファリングレスポンスを送信する（ステップＳ６１０）。
【００８７】
ネットワークは、本携帯端末装置１００に、アタッチアクセプトを送信する（ステップＳ６１２）。
【００８８】
本携帯端末装置１００は、ネットワークに、アタッチコンプリートを送信する（ステップＳ６１４）。
【００８９】
ステップＳ６１４の後、アイドルモードに遷移する（ステップＳ６１６）。アイドルモードに遷移した本携帯端末装置１００と、ネットワークとの間のパケット接続状態は保持されない。本携帯端末装置１００からパケットデータプロトコルコンテキストリクエストが送信されていないためである。
【００９０】
契約国以外の国でのパケット接続を、常時を含めて可能とするように設定される（ステップＳ６１８）。
【００９１】
本携帯端末装置１００に搭載されたブラウザが起動される（ステップＳ６２０）。
【００９２】
ネットワークは、本携帯端末装置１００に、オーセンティケーションとサイファリングリクエストを送信する（ステップＳ６２２）。
【００９３】
本携帯端末装置１００は、ネットワークに、オーセンティケーションとサイファリングレスポンスを送信する（ステップＳ６２４）。
【００９４】
本携帯端末装置１００は、ステップＳ６１８によりパケット接続が、常時を含めて可能に設定されたため、ネットワークに、アクティベートパケットデータプロトコルコンテキストリクエストを送信する（ステップＳ６２６）。
【００９５】
ネットワークは、本携帯端末装置１００に、無線ベアラセットアップを送信する（ステップＳ６２８）。
【００９６】
本携帯端末装置１００は、ネットワークに、無線ベアラセットアップコンプリートを送信する（ステップＳ６３０）。
【００９７】
ネットワークは、本携帯端末装置１００に、アクティベートパケットデータプロトコルコンテキストアクセプトを送信する（ステップＳ６３２）。
【００９８】
契約国以外の国でのパケット接続を、常時を含めて可能とする設定が解除される（ステップＳ６３４）。
【００９９】
本携帯端末装置１００は、ネットワークに、デアクティベートパケットデータプロトコルコンテキストリクエストを送信する（ステップＳ６３６）。例えば、接続制御部１１２４は、通信制御部１０６に、デアクティベートパケットデータプロトコルコンテキストリクエストを送信するように命令する。通信制御部１０６は、接続制御部１１２４による命令に従って、デアクティベートパケットデータプロトコルコンテキストリクエストを生成し、無線部１０８に入力する。無線部１０８は、通信制御部１０６により入力されたデアクティベートパケットデータプロトコルコンテキストリクエストを送信する。
【０１００】
ネットワークは、本携帯端末装置１００に、デアクティベートパケットデータプロトコルアクセプトを送信する（ステップＳ６３８）。
【０１０１】
ネットワークは、本携帯端末装置１００に、無線ベアラリリースを送信する（ステップＳ６４０）。
【０１０２】
本携帯端末装置１００は、ネットワークに、無線ベアラリリースコンプリートを送信する（ステップＳ６４２）。
【０１０３】
ステップＳ６４２の後、フォワードアクセスチャネル受信可能状態、ページングチャネル受信可能状態を経て、保持状態(Preservation)に遷移する（ステップＳ６４４）。又は、シグナリングコネクションリリースインジケーションを送信しIdleに遷移するようにしてもよい。  本実施例によれば、ネットワークに在圏中に、該ネットワークとの間でパケット接続状態を保持する携帯端末装置が提供される。
【０１０４】
該携帯端末装置は、
パケット通信のためのパケット接続を、常時を含めて可能とするかどうかを設定する接続制御部と、
前記ネットワークに送信すべきパケットを生成するパケット生成部と
を有し、
前記接続制御部は、前記パケット接続を、常時を含めて可能とする設定が解除されているときに、前記パケット生成部によりパケットが生成された場合、自動的にパケット接続を、常時を含めて可能とするように設定する。
【０１０５】
ネットワーク在圏中に、パケット通信のためのパケット接続を、常時を含めて可能とする設定を解除した場合でも、自動的にパケットを発信（送信）できる。
【０１０６】
さらに、
前記パケット生成部は、ユーザによる操作及び／又は当該携帯端末装置に搭載された特定のアプリケーションにより、パケットを生成する。
【０１０７】
ネットワーク在圏中に、パケット通信のためのパケット接続を、常時を含めて可能とする設定を解除した場合でも、ユーザによる操作及び／又は当該携帯端末装置に搭載された特定のアプリケーションにより生成されたパケットを、自動的に送信できる。
【０１０８】
さらに、
当該携帯端末装置に格納されるべき移動国コードと、当該携帯端末装置により受信されるべき報知情報に含まれる移動国コードとが一致するかどうかを判定する移動国コード判定部
を有し、
前記接続制御部は、前記移動国コード判定部により移動国コードが一致しないと判定された場合に、自動的に、前記パケット接続を、常時を含めて可能とする設定を解除する。
【０１０９】
在圏しているネットワークがホームネットワークかどうかに応じて、パケット接続を、常時を含めて可能とする設定を行うか解除するかを設定できる。
【０１１０】
さらに、
前記接続制御部は、当該携帯端末装置の接続先に応じて、前記パケット接続を、常時を含めて可能とするかどうかを設定する。
【０１１１】
接続先に応じて、パケット接続を、常時を含めて可能とする設定を行うか解除するかを設定できる。
【０１１２】
さらに、
前記接続制御部は、前記パケット生成部により一定期間パケットが生成されない場合、前記パケット接続を、常時を含めて可能とする設定を解除する。
【０１１３】
一定期間パケットが生成されない場合、前記パケット接続を、常時を含めて可能とする設定を解除できるため、ユーザの意図しない課金が発生するのを防ぐことができる。
【０１１４】
本実施例によれば、ネットワークに在圏中に、該ネットワークとの間でパケット接続状態を保持する携帯端末装置における方法が提供される。
【０１１５】
本方法は、
パケット通信のためのパケット接続を、常時を含めて可能とするかどうかを設定する接続制御ステップと、
前記ネットワークに送信すべきパケットを生成するパケット生成ステップと
を有し、
前記接続制御ステップは、前記パケット接続を、常時を含めて可能とする設定が解除されているときに、前記パケット生成ステップによりパケットが生成された場合、自動的に、該パケット接続を、常時を含めて可能とするように設定する。
【０１１６】
説明の便宜上、発明の理解を促すため具体的な数値例を用いて説明されるが、特に断りのない限り、それらの数値は単なる一例に過ぎず適切な如何なる値が使用されてよい。
【０１１７】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１１８】
１００ｎ（ｎは、ｎ＞０の整数）  携帯端末装置
１０２  入力部
１０４  出力部
１０６  通信制御部
１０８  無線部
１１０  記憶部
１１２  中央演算処理装置(CPU: Central Processing Unit)
１１２２  移動国コード判定部
１１２４  接続制御部
１１２６  パケット生成部
３００  基地局(Base Station)
３５０  セル
４００  無線ネットワーク制御装置(RNC: Radio Network Controller)
５００  基地局(eNodeB)
５５０  セル
６００  アクセスゲートウェイ
７００  コアネットワーク(Core Network)
【図１】
2011239073.tif 000003
【図２】
2011239073.tif 000004
【図３】
2011239073.tif 000005
【図４】
2011239073.tif 000006
【図５】
2011239073.tif 000007
【図６】
2011239073.tif 000008